【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
企業や大学などで使われる紙の帳票をコンピュータ上で編集するための帳票編集システムであって、
該帳票編集システムは、ウェブブラウザおよび計算機用記憶装置を有する計算機と、紙の帳票を画像データとして前記計算機用記憶装置に読み込むスキャナと、サーバ用記憶装置を有するサーバ計算機と、前記計算機と前記サーバ計算機とを電気的に接続するネットワークとを備えてなり、
前記計算機は、前記ウェブブラウザ上において、前記計算機用記憶装置に保存された帳票の画像データをウェブページとして表示し、該ウェブページには該ウェブブラウザ上で動作するスクリプト形式の帳票プログラムが内蔵され、前記計算機用記憶装置または前記サーバ用記憶装置の少なくとも一方に、サーバプログラムが格納され、
前記計算機は、前記帳票の画像データを表示した前記ウェブブラウザ上のウェブページにおいて、前記計算機に接続された入力デバイスを介したユーザの操作に基づき、該ウェブブラウザ上で前記帳票プログラムを実行するとともに、前記計算機または前記サーバ計算機上で前記サーバプログラムを実行して、これらプログラムにより、前記表示されている帳票を編集することを特徴とする帳票編集システム。
【請求項２】
前記帳票プログラムは、（１）手書きの文字又は図形の入力機能、（２）前もって用意した図形及び線の入力機能、（３）前記計算機用記憶装置に保存されている画像又は動画をウェブページ上に入力するための機能、（４）模様の画像の中に任意の文字列を埋め込んだ画像をウェブページ上に入力するための機能、（５）ウェブページ上に入力した画像、図形、動画、又は文字列を削除または移動する機能、（６）ウェブページ上に入力した画像又は文字列を一つのまとまりとしてグループ化する機能、（７）ウェブページ上での編集作業の履歴を記憶する機能、（８）ウェブページ上での編集作業において、最新の作業履歴を取り消す機能、（９）ウェブページ上での編集作業において、ユーザからの文字や数字の入力を受け付けるためのフォームを配置できる機能、（１０）入力された文字、数値、画像、動画、図形、フォームに関して、演算関係又は論理関係を定義できる機能の（１）〜（１０）の機能の少なくとも一つを有し、前記ユーザの操作に基づき該帳票プログラムを実行して前記機能により前記帳票を編集することを特徴とする請求項１記載の帳票編集システム。
【請求項３】
前記サーバプログラムは、（１）ユーザによる作業履歴の情報を前記ネットワークを介して前記サーバ用記憶装置に保存し管理する機能、（２）ユーザ毎の編集可能範囲を設定する機能、（３）ユーザ毎のパスワードを管理する機能の（１）〜（３）の機能の少なくとも一つを有し、前記帳票プログラムと連携して実行されることを特徴とする請求項１または請求項２記載の帳票編集システム。
【請求項４】
複数のユーザで、一つ又は複数の帳票を前記ネットワークを介して共有し、その帳票に対して、それぞれのユーザが操作する前記計算機のウェブブラウザから編集ができることを特徴とする請求項１、請求項２または請求項３記載の帳票編集システム。
【請求項５】
企業や大学などで使われる紙の帳票をコンピュータ上で編集するために、ウェブブラウザおよび記憶装置を有する計算機と、スキャナと、サーバ計算機と、前記計算機と前記サーバ計算機とを電気的に接続するネットワークとを備えてなる帳票編集システムを利用した帳票編集方法であって、
該帳票編集方法は、前記スキャナを用いて紙の帳票を画像データとして前記計算機の記憶装置に読み込むステップと、前記計算機のウェブブラウザ上において、該帳票の画像データをスクリプト形式の帳票プログラムが内蔵されたウェブページとして表示するステップと、ユーザの操作に基づき、前記ウェブブラウザ上で前記帳票プログラムを実行するとともに、前記計算機または前記サーバ計算機上で前記サーバプログラムを実行して、これらプログラムにより、前記表示されている帳票を編集するステップとを備えてなることを特徴とする帳票編集方法。
【手続補正２】
【補正対象書類名】明細書
【補正対象項目名】０００８
【補正方法】変更
【補正の内容】
【０００８】
請求項１記載の帳票編集システムは、企業や大学などで使われる紙の帳票をコンピュータ上で編集するための帳票編集システムであって、該帳票編集システムは、ウェブブラウザおよび計算機用記憶装置を有する計算機と、紙の帳票を画像データとして上記計算機用記憶装置に読み込むスキャナと、サーバ用記憶装置を有するサーバ計算機と、上記計算機と上記サーバ計算機とを電気的に接続するネットワークとを備えてなり、上記計算機は、上記ウェブブラウザ上において、上記計算機用記憶装置に保存された帳票の画像データをウェブページとして表示し、該ウェブページには該ウェブブラウザ上で動作するスクリプト形式の帳票プログラムが内蔵され、上記計算機用記憶装置または上記サーバ用記憶装置の少なくとも一方に、サーバプログラムが格納され、上記計算機は、上記帳票の画像データを表示した上記ウェブブラウザ上のウェブページにおいて、上記計算機に接続された入力デバイスを介したユーザの操作に基づき、該ウェブブラウザ上で上記帳票プログラムを実行するとともに、上記計算機または上記サーバ計算機上で上記サーバプログラムを実行して、これらプログラムにより、上記表示されている帳票を編集することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１８
【補正方法】変更
【補正の内容】
【００１８】
上記帳票プログラムは、（１）手書きの文字又は図形の入力機能、（２）前もって用意した図形及び線の入力機能、（３）上記計算機用記憶装置に保存されている画像又は動画をウェブページ上に入力するための機能、（４）模様の画像の中に任意の文字列を埋め込んだ画像をウェブページ上に入力するための機能、（５）ウェブページ上に入力した画像、図形、動画、又は文字列を削除または移動する機能、（６）ウェブページ上に入力した画像又は文字列を一つのまとまりとしてグループ化する機能、（７）ウェブページ上での編集作業の履歴を記憶する機能、（８）ウェブページ上での編集作業において、最新の作業履歴を取り消す機能、（９）ウェブページ上での編集作業において、ユーザからの文字や数字の入力を受け付けるためのフォームを配置できる機能、（１０）入力された文字、数値、画像、動画、図形、フォームに関して、演算関係又は論理関係を定義できる機能の（１）〜（１０）の機能の少なくとも一つを有し、上記ユーザの操作に基づき該帳票プログラムを実行して上記機能により上記帳票を編集することを特徴とする。
また、上記サーバプログラムは、（１）ユーザによる作業履歴の情報を上記ネットワークを介して上記サーバ用記憶装置に保存し管理する機能、（２）ユーザ毎の編集可能範囲を設定する機能、（３）ユーザ毎のパスワードを管理する機能の（１）〜（３）の機能の少なくとも一つを有し、上記帳票プログラムと連携して実行されることを特徴とする。
【手続補正８】
【補正対象書類名】明細書
【補正対象項目名】００２０
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】変更
【補正の内容】
【００３９】
これによって、入力された数値、画像、動画、図形、又はフォームに関して関係を定義することが可能となる。これにより、例えば、複数の項目の数値計算が可能となる。また、例えば、複数の動画、画像、及び数値を関係づけた自動的な動作又は計算が可能となる。
これによって、ユーザ毎に書き込みや削除制限を設けることが可能となる。例えば、組織内で異なる担当者が情報を変更できないように設定することを可能とする。
【手続補正１９】
【補正対象書類名】明細書
【補正対象項目名】００４０
【補正方法】変更
【補正の内容】
【００４０】
請求項４記載の帳票編集システムは、複数のユーザで、一つ又は複数の帳票を上記ネットワークを介して共有し、その帳票に対して、それぞれのユーザが操作する上記計算機のウェブブラウザから編集ができることを特徴とする。
【手続補正２０】
【補正対象書類名】明細書
【補正対象項目名】００４２
【補正方法】変更
【補正の内容】
【００４２】
請求項５記載の帳票編集方法は、企業や大学などで使われる紙の帳票をコンピュータ上で編集するために、ウェブブラウザおよび記憶装置を有する計算機と、スキャナと、サーバ計算機と、上記計算機と上記サーバ計算機とを電気的に接続するネットワークとを備えてなる帳票編集システムを利用した帳票編集方法であって、該帳票編集方法は、上記スキャナを用いて紙の帳票を画像データとして上記計算機の記憶装置に読み込むステップと、上記計算機のウェブブラウザ上において、該帳票の画像データをスクリプト形式の帳票プログラムが内蔵されたウェブページとして表示するステップと、ユーザの操作に基づき、上記ウェブブラウザ上で上記帳票プログラムを実行するとともに、上記計算機または上記サーバ計算機上で上記サーバプログラムを実行して、これらプログラムにより、上記表示されている帳票を編集するステップとを備えてなることを特徴とする。
【手続補正２１】
【補正対象書類名】明細書
【補正対象項目名】００４３
【補正方法】削除
【補正の内容】
【手続補正２２】
【補正対象書類名】明細書
【補正対象項目名】００４７
【補正方法】変更
【補正の内容】
【００４７】
ユーザ１００は、スキャナ１０６から帳票の画像を記憶装置１０４に読み込む。帳票プログラム１０２は読み込んだ帳票の画像を記憶装置１０４から読み出し、ウェブページ上に表示する。帳票プログラムは、ユーザのマウス操作及びキーボード操作に基づいて、手書き文字、図形、画像、及び動画を帳票の画像上へ貼付ける等の請求項２で示した機能をＪａｖａＳｃｒｉｐｔ（登録商標）と、サーバプログラム１０７の連携によって可能とする。サーバプログラムは、作業履歴等の情報を記憶装置１０８で管理する。
【手続補正２３】
【補正対象書類名】明細書
【補正対象項目名】００５５
【補正方法】変更
【補正の内容】
【００５５】
ユーザ４０は、スキャナ４６から帳票の画像を記憶装置４４に読み込む。帳票プログラム４２は読み込んだ帳票の画像を記憶装置４４から読み出し、ウェブページ上に表示する。帳票プログラムは、ユーザのマウス操作及びキーボード操作に基づいて、手書き文字、図形、画像、及び動画を帳票の画像上へ貼付ける等の請求項２で示した機能をＪａｖａＳｃｒｉｐｔと、サーバプログラム４７の連携によって可能とする。サーバプログラムは、作業履歴等の情報を記憶装置４８で管理する。サーバプログラムは、ユーザ毎の編集可能範囲の管理、パスワードの管理、及び負荷分散を行う。
【手続補正２４】
【補正対象書類名】明細書
【補正対象項目名】発明の名称
【補正方法】変更
【補正の内容】
【発明の名称】帳票編集システムおよび帳票編集方法